【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】  薄板状の第１および第２の被着体を、厚み方向に重ねた状態で接着剤によって一体化する、薄板状被着体の接着構造であって、
前記第１の被着体は、前記第１および第２の被着体の接着面と対向する面から前記接着面へ連通する案内溝を有すること
を特徴とする薄板状被着体の接着構造。
【請求項２】  請求項１に記載の薄板状被着体の接着構造において、
前記案内溝は、前記接着面から前記第１の被着体の端面を介して前記対向する面へ連続する溝であること
を特徴とする薄板状被着体の接着構造。
【請求項３】  請求項１に記載の薄板状被着体の接着構造において、
前記案内溝は、前記接着面から前記対向する面へ前記第１の被着体を貫通する穴であること
を特徴とする薄板状被着体の接着構造。
【請求項４】  薄板状の第１の被着体を第２の被着体に位置決めした状態で、接着剤によって一体化する薄板状被着体の接着構造であって、
前記第１の被着体は、前記第１の被着体と前記第２の被着体との接触部に連続する前記第１の被着体の端面に形成された第１の案内溝部と、前記第１の案内溝部に連続する第２の案内溝部とを備え、
前記第２の案内溝部に前記接着剤を塗布することにより、前記第１の案内溝部を介して、前記接触部に前記接着剤を案内すること、
を特徴とする薄板状被着体の接着構造。
【請求項５】  請求項４に記載の薄板状被着体の接着構造において、
前記第２の案内溝部は、前記第１の被着体の、前記接触部と対向する面に設けられていること、
を特徴とする薄板状被着体の接着構造。
【請求項６】  請求項１乃至請求項５のいずれか１項に記載の薄板状被着体の接着構造において、
前記第１の被着体は、光学系を搭載したホルダーの一部であり、
前記第２の被着体は、前記光学系を介した光を受光する受光部材の一部であること、
を特徴とする薄板状被着体の接着構造。
【請求項７】  薄板状の第１および第２の被着体を、厚み方向に重ねた状態で接着剤によって一体化する、薄板状被着体の接着方法であって、
前記第１および第２の被着体の接着面と対向する面から前記接着面へ連通する案内溝を有する前記第１の被着体を、前記第２の被着体に重ね合わせる工程と、
前記対向する面の案内溝に、前記接着剤を滴下する工程と
を含むことを特徴とする薄板状被着体の接着方法。
【請求項８】  薄板状の第１の被着体を第２の被着体に位置決めした状態で、接着剤によって一体化する薄板状被着体の接着方法であって、
前記第１の被着体と前記第２の被着体との接触部に連続する前記第１の被着体の端面に形成された第１の案内溝部と、その第１の案内溝部に連続して前記接触部と対向する面に形成された第２の案内溝部とを備えた前記第１の被着体を、前記第２の被着体に位置決めする位置決め工程と、
前記第１の被着体の前記第２の案内溝部に、前記接着剤を塗布する接着剤塗布工程と、
前記第２の案内溝部に塗布した接着剤が、前記第１の案内溝部を介して、前記接触部に案内され、前記第１の被着体と前記第２の被着体とを接着する接着工程と、
を備える薄板状被着体の接着方法。
【手続補正２】
【補正対象書類名】明細書
【補正対象項目名】００１１
【補正方法】変更
【補正の内容】
【００１１】
【課題を解決するための手段】
前記課題を解決するため、請求項１の発明は、薄板状の第１および第２の被着体を、厚み方向に重ねた状態で接着剤によって一体化する、薄板状被着体の接着構造であって、前記第１の被着体は、前記第１および第２の被着体の接着面と対向する面から前記接着面へ連通する案内溝を有することを特徴とする薄板状被着体の接着構造である。
請求項２の発明は、請求項１に記載の薄板状被着体の接着構造において、前記案内溝は、前記接着面から前記第１の被着体の端面を介して前記対向する面へ連続する溝であることを特徴とする薄板状被着体の接着構造である。
請求項３の発明は、請求項１に記載の薄板状被着体の接着構造において、前記案内溝は、前記接着面から前記対向する面へ前記第１の被着体を貫通する穴であることを特徴とする薄板状被着体の接着構造である。
請求項４の発明は、薄板状の第１の被着体を第２の被着体に位置決めした状態で、接着剤によって一体化する薄板状被着体の接着構造であって、前記第１の被着体は、前記第１の被着体と前記第２の被着体との接触部に連続する前記第１の被着体の端面に形成された第１の案内溝部と、前記第１の案内溝部に連続する第２の案内溝部とを備え、前記第２の案内溝部に前記接着剤を塗布することにより、前記第１の案内溝部を介して、前記接触部に前記接着剤を案内すること、を特徴とする薄板状被着体の接着構造である。
【手続補正３】
【補正対象書類名】明細書
【補正対象項目名】００１２
【補正方法】変更
【補正の内容】
【００１２】
請求項５の発明は、請求項４に記載の薄板状被着体の接着構造において、前記第２の案内溝部は、前記第１の被着体の、前記接触部と対向する面に設けられていること、を特徴とする薄板状被着体の接着構造である。
【手続補正４】
【補正対象書類名】明細書
【補正対象項目名】００１３
【補正方法】変更
【補正の内容】
【００１３】
請求項６の発明は、請求項１乃至請求項５のいずれか１項に記載の薄板状被着体の接着構造において、前記第１の被着体は、光学系を搭載したホルダーの一部であり、前記第２の被着体は、前記光学系を介した光を受光する受光部材の一部であること、を特徴とする薄板状被着体の接着構造である。
【手続補正５】
【補正対象書類名】明細書
【補正対象項目名】００１４
【補正方法】変更
【補正の内容】
【００１４】
請求項７の発明は、薄板状の第１および第２の被着体を、厚み方向に重ねた状態で接着剤によって一体化する、薄板状被着体の接着方法であって、前記第１および第２の被着体の接着面と対向する面から前記接着面へ連通する案内溝を有する前記第１の被着体を、前記第２の被着体に重ね合わせる工程と、前記対向する面の案内溝に、前記接着剤を滴下する工程とを含むことを特徴とする薄板状被着体の接着方法である。
請求項８の発明は、薄板状の第１の被着体を第２の被着体に位置決めした状態で、接着剤によって一体化する薄板状被着体の接着方法であって、前記第１の被着体と前記第２の被着体との接触部に連続する前記第１の被着体の端面に形成された第１の案内溝部と、その第１の案内溝部に連続して前記接触部と対向する面に形成された第２の案内溝部とを備えた前記第１の被着体を、前記第２の被着体に位置決めする位置決め工程と、前記第１の被着体の前記第２の案内溝部に、前記接着剤を塗布する接着剤塗布工程と、前記第２の案内溝部に塗布した接着剤が、前記第１の案内溝部を介して、前記接触部に案内され、前記第１の被着体と前記第２の被着体とを接着する接着工程と、を備える薄板状被着体の接着方法である。
【手続補正６】
【補正対象書類名】明細書
【補正対象項目名】００２１
【補正方法】変更
【補正の内容】
【００２１】
そして、図２（ａ）に示すように、第２の案内溝部４０Ｂに接着ノズル３を近接させ、接着ノズル３の先端部３ｂから吐出した接着剤３ａを、第２の案内溝部４０Ｂに滴下することによって塗布する（接着剤塗布工程）。
すると、接着剤３ａは、第２の案内溝部４０Ｂの各々の斜面４０ｂ、４０ｃ及び各々の斜面４０ｂ、４０ｃが交わる稜線（角）に沿って、側面１ｂの方へ流れていき、やがて、第１の案内溝部４０Ａの各々の斜面４０ｂ、側面４０ｇが交わる稜線（角）、又は、同じく、各々の斜面４０ｃ、側面４０ｈが交わる稜線（角）にまで到達する。